(57)【要約】【課題】  台風等の強風による吹き上げ等の負圧荷重に対して外装材が外れて飛散することがない外装材用支持部材、横葺き外装材、及び横葺き外装構造を提供する。【解決手段】  本発明の外装材用支持部材１Ａは、上面部１１に横葺き外装材２の水上側成形部２３の裏面に当接又は近接する隆起部１２Ａを設けたことを特徴とする。【選択図】  図１
2006266069.tif 000002
【特許請求の範囲】
【請求項１】
上面部に横葺き外装材の水上側成形部の裏面に当接又は近接する隆起部を設けたことを特徴とする外装材用支持部材。
【請求項２】
面板部の水下・水上側に相互に係合可能な水下側成形部、水上側成形部を有し、水上側成形部には、外装材用支持部材の隆起部に係止する係止部を設けたことを特徴とする横葺き外装材。
【請求項３】
水下側成形部に形成された下向き折曲片と水上側成形部に形成された段部とは、傾斜角度がほぼ同一であることを特徴とする請求項２に記載の横葺き外装材。
【請求項４】
敷設状態において、水下側成形部に形成された下向き折曲片と水上側成形部に形成された段部がほぼ面一状に連続することを特徴とする請求項２又は３に記載の横葺き外装材。
【請求項５】
面板部の水下・水上側に相互に係合可能な水下側成形部、水上側成形部を有する横葺き外装材を保持部材を用いて敷設する横葺き外装構造において、
下地として上面部に隆起部を設けた外装材用支持部材を用い、該外装材用支持部材の隆起部に横葺き外装材の水上側成形部の裏面を当接又は近接させるように横葺き外装材を取り付けたことを特徴とする横葺き外装構造。
【請求項６】
横葺き外装材の水上側成形部は、外装材用支持部材の隆起部と水上側成形部に取り付ける保持部材によって挟持状に保持されることを特徴とする請求項５に記載の横葺き外装構造。
【発明の詳細な説明】
【技術分野】
【０００１】
本発明は、台風等の強風による吹き上げ等の負圧荷重に対して外装材が外れて飛散することがない外装材用支持部材、横葺き外装材、及び横葺き外装構造に関する。
【背景技術】
【０００２】
近年、世界レベルで様々な異常気象が観測され、国内でも今年（平成１６年）は例年にないほどの多くの台風が国内各地に上陸して多大な被害をもたらせた。
尤も日本国はそもそも毎年のように台風が上陸するため、建築物の屋根構造においては強風による負圧作用を想定した各種の対策が採られている。
【０００３】
例えば特許文献１には、負圧荷重に対する耐久性の向上を目的として、略Ｌ字状の保持部材（吊子Ｂ）に、外装材（建築用板Ａ）の水下側成形部（上馳部２）を係止する上馳支持部６と、水上側成形部（下馳部３）を係止する下馳支持部７とが形成された横葺き外装構造（横葺外囲体）が提案されている。この構造は、外装材（建築用板Ａ）の水上側成形部（下馳部３）に保持部材（吊子Ｂ）の下馳支持部７を引っ掛けた状態で回動させて取り付け施工するものである。
また、外装材（建築用板Ａ）の水上側成形部（下馳部３）は段状に成形され、このような構造は、特許文献１に限らず一般に外装材同士の接続部の雨仕舞を向上させる目的で多く採用され、面板部上を雨水等が吹き上げ風力により重力に逆らって水下側から水上側へ吹き上げられる際などに浸入防止効果を発揮する。
このような構造では、水上側成形部（下馳部３）と下地（下地部Ｃ）との間に隙間が形成され、外装材（建築用板Ａ）の水上側成形部（下馳部３）は下地（下地部Ｃ）と折り曲げ部のみで接触する構造となっていた。
【特許文献１】特開２００１−３２９６６２公報
【発明の開示】
【発明が解決しようとする課題】
【０００４】
しかしながら、前記特許文献１に記載の横葺き外装構造（横葺外囲体）に、台風等の強風による吹き上げ等の負圧荷重が作用して水上側成形部（下馳部３）を水下側へ引っ張る力が生じた場合には、外装材（建築用板Ａ）と下地（下地部Ｃ）との接触部分（折り曲げ部）が水下側に滑り、水上側成形部（下馳部３）が保持部材（吊子Ｂ）から外れてしまうものであった。このように保持部材（吊子Ｂ）を引っ掛けた状態で回動させて取り付け施工するものは、同方向に外装材（建築用板Ａ）が回動することにより、比較的容易に係止（保持）状態が解除されて外れる恐れがあった。
より詳しくは、前述のように水上側成形部（下馳部３）と下地（下地部Ｃ）との間に隙間が形成されてしまうため、この隙間の存在が水上側成形部（下馳部３）の回動を可能とし、その結果、水上側成形部（下馳部３）が保持部材（吊子Ｂ）から外れ、外装材（建築用板Ａ）が飛散する恐れがあった。
【０００５】
そこで、本発明は、台風等の強風による吹き上げ等の負圧荷重に対して耐久性が高く、外装材が外れて飛散することがない外装材用支持部材及び横葺き外装構造を提供することを目的とする。
【課題を解決するための手段】
【０００６】
本発明は、上記に鑑み提案されたもので、上面部に横葺き外装材の水上側成形部の裏面に当接又は近接する隆起部を設けたことを特徴とする外装材用支持部材に関するものである。
【０００７】
また、本発明は、第２の発明として面板部の水下・水上側に相互に係合可能な水下側成形部、水上側成形部を有し、水上側成形部には、外装材用支持部材の隆起部に係止する係止部を設けたことを特徴とする横葺き外装材をも提案する。
【０００８】
上記横葺き外装材において、水下側成形部に形成された下向き折曲片と水上側成形部に形成された段部とは、傾斜角度がほぼ同一であることが望ましい。
また、敷設状態において、水下側成形部に形成された下向き折曲片と水上側成形部に形成された段部がほぼ面一状に連続することが望ましい。
【０００９】
さらに、本発明は、第３の発明として面板部の水下・水上側に相互に係合可能な水下側成形部、水上側成形部を有する横葺き外装材を保持部材を用いて敷設する横葺き外装構造において、下地として上面部に隆起部を設けた外装材用支持部材を用い、該外装材用支持部材の隆起部に横葺き外装材の水上側成形部の裏面を当接又は近接させるように横葺き外装材を取り付けたことを特徴とする横葺き外装構造をも提案するものである。
【００１０】
前記横葺き外装構造において、横葺き外装材の水上側成形部は、外装材用支持部材の隆起部と水上側成形部に取り付ける保持部材によって挟持状に保持されることが望ましい。
【００１１】
また、前記横葺き外装構造において、横葺き外装材の水上側成形部に、外装材用支持部材の隆起部に係止する係止部を設けることが望ましい。
【発明の効果】
【００１２】
本発明の外装材用支持部材は、横葺き外装材の水上側成形部の裏面に当接又は近接する隆起部を有する構成であって、この隆起部により水上側成形部と外装材用支持部材との間に隙間が形成されないため、台風等の強風による吹き上げ等の負圧荷重が作用しても、水上側成形部が回動できず、水上側成形部が保持部材から外れることがない横葺き外装構造を構築することができる。
【００１３】
また、本発明の第２の発明の横葺き外装材は、水上側成形部に、外装材用支持部材の隆起部に係止する係止部を設けたので、この係止部が台風等の強風に起因する水上側成形部を水下側へ引っ張る力に対して直接的に対抗する抵抗部となり、水上側成形部の取付安定性がより高いものとなり、負圧荷重に対する耐久性もより一層高いものとなる。
【００１４】
特に、水下側成形部に形成された下向き折曲片と、水上側成形部に形成された段部を、ほぼ同一の傾斜角度とした場合、軒側から吹き上げる風や雨水を溜めることなく、棟側へ吹き流すことができ、浸水抑止効果を奏する。
また、敷設状態において、水下側成形部に形成された下向き折曲片と水上側成形部に形成された段部がほぼ面一状に連続する場合、軒側から吹き上げる風や雨水の流れをよりスムーズに棟側へ流すことができる。
【００１５】
さらに、本発明の第３の発明の横葺き外装構造は、前述のように横葺き外装材の水上側成形部が保持部材から外れることがないため、負圧荷重に対して極めて耐久性が高いものとなる。
【００１６】
また、横葺き外装材の水上側成形部が、外装材用支持部材の隆起部と水上側成形部に取り付ける保持部材によって挟持状に保持される横葺き外装構造では、水上側成形部の取付安定性がより高いものとなり、負圧荷重に対する耐久性もより一層高いものとなる。
【発明を実施するための最良の形態】
【００１７】
本発明の外装材用支持部材（以下、単に支持部材という）は、その上面部に横葺き外装材（以下、単に外装材という）の水上側成形部の裏面に当接又は近接する隆起部を設けた構成である。外装材を固着可能な部材であれば、それ以外の構成は特に限定するものではなく、主に垂木を指すが、例えばその形状についても図示実施例などに示されるような断面ハット型でもよいし、或いは帯板状であってもよい。また、その上面部には一般に吊子と称される保持部材を取り付けるが、その保持部材の取り付けを補助するような孔やスリット、或いはビス孔を適宜に設けるようにしてもよい。
【００１８】
隆起部は支持部材の上面部に形成されればよく、プレス、切り起こし等によって上面に一体的に設けられるものでもよいし、別部材を取り付けることで一体化されるものでもよい。
後者の別部材の取り付けで一体化される態様の場合、溶接、ビス止め、嵌合等の公知の取付方法を採用することができ、特に限定するものではない。また、ビス自体を特殊なものとすることで、ビス自体が隆起部となるものでもよい（この場合、垂木に対してビスのみが固定されることになる）。また、別部材は、上面に固定されるものでも、垂木の側面に固定されるもの等でもよく、取り付けた結果、支持部材の上面部に隆起部が形成されればよい。
【００１９】
このような構成の支持部材を下地として用いて取り付け、支持される外装材は、支持部材の隆起部に、外装材の水上側成形部の裏面を当接又は近接させるように取り付けられるものであればよく、面板部の水下・水上側に相互に係合可能な水下側成形部、水上側成形部を有して保持部材を用いて敷設される各種の外装材を適用することができる。尚、この支持部材を用いた本発明の第３の発明である横葺き外装構造において、本発明の第２の発明である外装材は必須ではなく、特に望ましい態様である。したがって、後述する図示実施例においても好適な実施態様として説明している。
そして、支持部材の隆起部により水上側成形部と支持部材との間に隙間が形成されないため、台風等の強風による吹き上げ等の負圧荷重が作用しても、水上側成形部が回動できないため、水上側成形部が保持部材から外れることがない横葺き外装構造となる。尚、前述のように支持部材の隆起部に水上側成形部の裏面を当接又は近接させるように取り付けるのであるが、この「近接」とは、上述の効果が得られる程度に接近していればよい。
【００２０】
特に水下側成形部、水上側成形部が敷設状態において複数箇所でそれぞれが弾性的に当接するような外装材を用いることが望ましい。より強固に且つ確実に連結されて取り付けられるものとなるからである。
この場合、がたつきなどが無く、高い防水性、連結強度を有する横葺き外装構造を構築できる。
【００２１】
また、外装材の水上側成形部を、支持部材の隆起部と水上側成形部に取り付ける保持部材によって挟持状に保持させることが望ましい。
この場合、水上側成形部の取付安定性がより高い横葺き外装構造を構築できる。
【００２２】
さらに、本発明は、第２の発明として水上側成形部に、外装材用支持部材の隆起部に係止する係止部を設けた横葺き外装材を提案するが、この係止部は例えば後述する図示実施例のように下り段差状でもよいし、特にその形状を限定するものではない。
この場合も水上側成形部の取付安定性がより高い横葺き外装構造を構築できる。
【実施例１】
【００２３】
図１に示す支持部材１の実施例は、断面ハット型の垂木である支持部材１Ａの上面部１１に、切り起こしによって隆起部１２Ａが一体的に設けられる例である。より詳しくは、この隆起部１２Ａは、上面部１１にエ字状に切り込みを形成し、左右それぞれの片を逆Ｌ字状に起立させて形成したものであり、結果的に左右一対の逆Ｌ字状の起立片からなる。
尚、図面では、各態様の支持部材を１Ａ〜１Ｉ、各態様の外装材を２Ａ〜２Ｃ、各態様の保持部材を３Ａ〜３Ｄと表したが、総括的な説明に際しては支持部材１、外装材２、保持部材３と示す。
【００２４】
この支持部材１Ａの隆起部１２Ａの水上側（図面上、右奥側）には、略ヘラ先形状の空部である挿入部１３と、さらにその水上側に、跳ね起こしが可能な規制部１４が設けられている。
【００２５】
図２に示す横葺き外装構造の実施例は、前記構成の支持部材１Ａを下地として用いた外装構造の要部拡大図であって、支持部材１Ａの隆起部１２Ａに外装材２Ａの水上側成形部２３の裏面を当接又は近接させるように取り付けられている。
【００２６】
この横葺き外装構造に用いられた外装材２Ａは、面板部２１の水下・水上側に相互に係合可能な水下側成形部２２、水上側成形部２３を有する構成である。
水上側成形部２３は、面板部２１の水上側の端縁を表面側に段差状（段部２３１）に折曲すると共に、水上側へ延在（延在片２３２）させ、その先端（被係合部２３４）を上方へ屈曲（上向き折曲片２３５）させ、さらにその上端を水下側に屈曲状に折り返した被保持部２３６を設け、さらにその下端を水上側上方へ跳ね上げ状に屈曲（案内片２３７）させた形状である。尚、延在片２３２の途中には、下り段差状の係止部２３３を設けた。
水下側成形部２２は、面板部２１の水下側の端縁を裏面側に折曲（下向き折曲片２２１）し、その下端を水上側に延出（延出片２２２）させ、その先端（係合部２２４）を下方へ屈曲させた屈曲片２２５を有する構成である。尚、延出片２２２の途中には、段状部分２２３を設けた。
そして、水下側成形部２２及び水上側成形部２３が敷設状態においてハッチングで示した４箇所にて弾性的に当接するようにした。
【００２７】
以下、図２にてハッチングで示した４箇所のそれぞれの弾性当接について説明する。
（１）図面上、上部のハッチング部では、水上側成形部２３の案内片２３７と、水下側成形部２２の段状部分２２３とが、敷設状態において弾性的に当接している。
尚、この案内片２３７と段状部分２２３との弾性的当接は、それぞれが相手側に弾性的に付勢するように調整しても良いし、何れか一方のみを調整するようにしてもよく、弾性的に付勢させるための構成についても、外装材２の各部位の折曲又は屈曲部分の角度調整やその組み合わせによってどのように弾性的に付勢させて当接させるようにしてもよい。
【００２８】
（２）図面上、下側のハッチング部では、水上側成形部２３の延在片２３２と、水下側成形部２２の屈曲片２２５とが、敷設状態において弾性的に当接している。
尚、この屈曲片２２５と延在片２３２との弾性的当接は、屈曲片２２５の拡開角度が敷設状態における屈曲片２２５の拡開角度よりも大きく成形され、水上側成形部２３の被係合部２３４を水下側成形部２２の係合部２２４に係合させて位置を規制することにより、位置規制された屈曲片２２５の当接箇所に弾性反発力が常時作用する。
また、延在片２３２には係止部２３３が設けられているが、この係止部２３３の裏面側に屈曲片２２５の先端が当接するため、水下側成形部２２の水下側への滑りを防止して安定に保持させることができる。
【００２９】
（３）図面上、左側のハッチング部では、水上側成形部２３の段部２３１と水下側成形部２２の延出片２２２とが、敷設状態において弾性的に当接している。
尚、この延出片２２２と段部２３１との弾性的当接は、それぞれが相手側に弾性的に付勢するように調整しても良いし、何れか一方のみを調整するようにしてもよく、弾性的に付勢させるための構成についても、外装材２の各部位の折曲又は屈曲部分の角度調整やその組み合わせによってどのように弾性的に付勢させて当接させるようにしてもよい。
【００３０】
（４）図面上、右側のハッチング部では、水上側成形部２３の被係合部２３４と水下側成形部２２の係合部２２４とが、敷設状態において弾性的に当接している。
この係合部２２４の外幅は、敷設状態における被係合部２３４の内幅よりも大きく成形され、敷設状態では被係合部２３４との弾性的な当接により、押し狭められるように敷設されているので、当接箇所に弾性反発力が常時作用する。
【００３１】
このような構成を有する外装材２は、素材を特に限定するものではないが、代表的には概ね０.４乃至１.６mm程度の表面化粧鋼板、ラミネート鋼板、メッキ鋼板、ステンレス鋼板、アルミ合金板、チタン合金板、銅板等の公知の金属素材をロール成形その他の手段で所定の形状に成形する。尚、硬質樹脂板や炭素繊維積層板等によっても同様の形状に成形することができ、全てをそれらで施工することもできるし、前記金属素材のものと組み合わせて施工することもできる。また、外装材２の裏面には、結露防止、防音、防火対策上の理由により、必要に応じてポリエチレンフォーム、グラスウールシート等の裏貼り材を添装しても良い。図示実施例では裏貼り材は点線で符号２０で表した。
【００３２】
また、この外装材２を保持する保持部材３は、一般に吊子と称される部材であって、この図２の横葺き外装構造に用いた保持部材３Ａは、外装材２Ａの水上側成形部２３（被保持部２３６）を保持する保持部３１と、挿入片である第１固定部３２と、被定着片である第２固定部３３とを有する構成である。上記の第１固定部３２は支持部材１Ａの挿入部１３に挿入され、上記の第２固定部３３は支持部材１Ａの規制部１４の跳ね起こしによりその上面部１１に定着される。
【００３３】
このように構築される本発明の横葺き外装構造は、支持部材１Ａの隆起部１２Ａに、外装材２Ａの水上側成形部２３（延在片２３２及び係止部２３３）の裏面が当接又は近接する構成であり、この隆起部１２Ａにより水上側成形部２３と支持部材１Ａとの間に隙間が形成されない構造となる。そのため、台風等の強風による吹き上げ等の負圧荷重が作用しても、水上側成形部２３が回動することがなく、水上側成形部２３が保持部材３から外れない，耐久性が高い横葺き外装構造とすることができる（図４参照）。
【００３４】
また、図示実施例では、水下側成形部２２、水上側成形部２３が敷設状態において複数箇所でそれぞれが弾性的に当接するようにすることで、より強固に且つ確実に連結されて取り付けられている。そのため、がたつきなどが無く、高い防水性、連結強度を有する横葺き外装構造となる。
特にこのように複数箇所でそれぞれが弾性的に当接するようにすることで、前記水上側成形部２３が外れない効果、負圧荷重に対する耐久性がより一層高くなり、施工性にも優れるものとなる。
【００３５】
さらに、図示実施例では、外装材２の水上側成形部２３を、支持部材１Ａの隆起部１２Ａと保持部材３Ａによって挟持状に保持させた状態となるので、水上側成形部２３の取付安定性がより高いものとなり、負圧荷重に対する耐久性もより一層高いものとなる（図４参照）。
【００３６】
また、図示実施例では、外装材２Ａの水上側成形部２３に、支持部材１Ａの隆起部１２Ａ水上側に係止する係止部２３３を設けたので、台風等の強風に起因する水上側成形部２３を水下側へ引っ張る力に対して直接的に対抗する抵抗部となり、水上側成形部２３の取付安定性がより高いものとなる（図４参照）。
【００３７】
図３に示す実施例では、支持部材１Ｂの隆起部１２Ｂが前記実施例の隆起部１２Ａと同様に切り起こしによって形成されたものであるが、水上側から水下側へ向く逆Ｌ字状の起立片からなる構成であり、それ以外の構成は、前記図１の実施例と同様であり、外装材２Ａや保持部材３Ａについても、前記図２の実施例と同様であり、図面に同一符号を付して説明を省略する。
【００３８】
この図３の横葺き外装構造とほぼ同様の横葺き外装構造に、前述の吹き上げ等の負圧荷重が作用した状態を図示（図４）し、この状態について説明する。尚、符号は図３と同様とした。また、通常は傾斜している屋根面を水平面として示している。
図４（ａ）は、負圧がかからない状態を示す。
図４（ｂ）は、負圧（図中、矢印で示す）がかかった状態を示すものであって、面板部２１が持ち上げられる力が作用すると共に水上側成形部２３を水下側へ引っ張る力が作用する。しかし、本発明の横葺き外装構造では、支持部材１Ｂの隆起部１２Ｂに、外装材２Ａの水上側成形部２３（延在片２３２及び係止部２３３）の裏面が当接又は近接し、水上側成形部２３の裏面に隙間が形成されないため、水上側成形部２３が回動できない。そのため、台風等の強風による吹き上げ等の負圧荷重が作用しても、水上側成形部２３が保持部材３Ｂから外れることがない。
また、図示実施例の水上側成形部２３は、隆起部１２Ｂと保持部材３Ｂ（保持部３１）によって挟持状に保持されているので、この状態は負圧作用時にも当然のことながら維持され、水上側成形部２３の取付安定性がより高いものとなり、負圧荷重に対する耐久性もより一層高いものとなる。
さらに、図示実施例の水上側成形部２３には、隆起部１２Ｂ水上側に係止する係止部２３３が設けられているので、水上側成形部２３を水下側へ引っ張る力に対して直接的に対抗する抵抗部となる。しかも、この係止部２３３の隆起部１２Ｂ水上側への係止圧力は、図示するようにむしろ負圧がかかった状態の方が負圧がかからない状態に比べて強く（高く）なるため、水上側成形部２３の取付安定性がより高いものとなる。
【００３９】
図５、図６は、前記実施例における外装材２Ａとは異なる外装材２Ｂ，２Ｄを用いた横葺き外装構造を示すものであり、前記図４と同様に通常は傾斜している屋根面を水平面として示している。４はバックアップ材である。
これらの横葺き外装構造に用いられた外装材２Ｂ，２Ｄは、前記実施例における外装材２Ａでは垂直だった水下側成形部２２の下向き折曲片２２１も、水上側成形部２３の段部２３１も傾斜状であり、ほぼ同一の傾斜角度である。そのため、軒側から吹き上げる風や雨水を溜めることなく、棟側へ吹き流すことができ、浸水抑止効果を奏するものとなる。
【００４０】
図５の実施例に用いられた外装材２Ｂは、前記実施例における外装材２Ａに比べて、延在片２３２が相対的に長く、浸水抑止面が軒側から段部２３１、延在片２３２、下向き折曲片２２１から形成されている。
また、図５の実施例に用いられた支持部材１Ｊは、軒向きＬ字状の隆起部１２Ｊが、左右（図面では前後）に補強片が設けられた構成である。
この横葺き外装構造でも、前記実施例と同様に支持部材１Ｊの隆起部１２Ｊに、外装材２Ｂの水上側成形部２３（延在片２３２及び係止部２３３）の裏面が当接又は近接する構成であるため、この隆起部１２Ｊにより水上側成形部２３と支持部材１Ｊとの間に隙間が形成されない構造となり、台風等の強風による吹き上げ等の負圧荷重が作用しても、水上側成形部２３が回動することがなく、水上側成形部２３が保持部材３から外れない，耐久性が高い横葺き外装構造とすることができる。
さらに、図示実施例では、外装材２Ｂの水上側成形部２３を、支持部材１Ｊの隆起部１２Ｊと保持部材３Ｃによって挟持状に保持させた状態となるので、水上側成形部２３の取付安定性がより高いものとなり、負圧荷重に対する耐久性もより一層高いものとなるという効果についても前記実施例と同様である。
また、図示実施例では、外装材２Ｂの水上側成形部２３に、支持部材１Ｊの隆起部１２Ｊ水上側に係止する係止部２３３を設けたので、台風等の強風に起因する水上側成形部２３を水下側へ引っ張る力に対して直接的に対抗する抵抗部となり、水上側成形部２３の取付安定性がより高いものとなるという効果についても前記実施例と同様である。
【００４１】
図６の実施例に用いられた外装材２Ｄは、前記実施例における外装材２Ａに比べて、延在片２３２が相対的に長く（＝図５の外装材２Ｂの延在片２３２よりも短い）、敷設状態において、下向き折曲片２２１と段部２３１とが略面一状に配設されている。
図６（ａ）は、負圧がかからない状態を示す。
図６（ｂ）は、負圧（図中、矢印で示す）がかかった状態を示すものであって、基本的には図４（ｂ）と同様に作用し、水上側成形部２３が回動できないため、台風等の強風による吹き上げ等の負圧荷重が作用しても、水上側成形部２３が保持部材３Ｃから外れることがない。また、図示実施例の水上側成形部２３は、隆起部１２Ｂと保持部材３Ｃ（保持部３１）によって挟持状に保持されているので、水上側成形部２３の取付安定性がより高いものとなり、負圧荷重に対する耐久性もより一層高いものとなる。さらに、図示実施例の水上側成形部２３には、隆起部１２Ｂ水上側に係止する係止部２３３が設けられているので、水上側成形部２３を水下側へ引っ張る力に対して直接的に対抗する抵抗部となり、水上側成形部２３の取付安定性がより高いものとなる
特に前述のようにこの外装材２Ｄは、下向き折曲片２２１と段部２３１とが略面一状に配設され、浸水抑止面が軒側から段部２３１、下向き折曲片２２１から形成されているため、軒側から吹き上げる風や雨水の流れをよりスムーズに棟側へ流すことができる。さらに、延在片２３２が長いため、水上側成形部２３がより回動し難いため、水上側成形部２３の取扱安定性がより高いものとなる。
【００４２】
図７に示す実施例では、支持部材１Ｃの隆起部１２Ｃがプレスによって上面に一体的に設けられたものであり、それ以外の構成は前記図１の実施例と同様であり、図面に同一符号を付して説明を省略する。
【００４３】
図８に示す実施例では、支持部材１Ｄの隆起部１２Ｄが別部材を取り付けることで一体化されるものであり、断面が略門型の別部材を冠着状に嵌め付けて形成したものであり、それ以外の構成は前記図１の実施例と同様であり、図面に同一符号を付して説明を省略する。
【００４４】
図９に示す実施例では、支持部材１Ｅの隆起部１２Ｅが別部材を取り付けることで一体化されるものであり、断面が逆ハット型の下方に支持台状の脚部が設けられた別部材を、挿入部１３から挿入し、その水下側へ延設した溝部１５によりスライド状に移動させて固定したものであり、それ以外の構成は前記図１の実施例と同様であり、図面に同一符号を付して説明を省略する。
【００４５】
図１０に示す実施例では、支持部材１Ｆの隆起部１２Ｆが別部材を取り付けることで一体化されるものであり、断面が逆ハット型の別部材を溶接により取り付けて形成したものであり、それ以外の構成は前記図１の実施例と同様であり、図面に同一符号を付して説明を省略する。この図１０の実施例に形成される隆起部１２Ｆは、前記図９の実施例と作成方法が異なるだけで、機能的にはほぼ同様である。
【００４６】
図１１に示す実施例では、支持部材１Ｇの隆起部１２Ｇが前記実施例の隆起部１２Ｊと同様であって、切り起こしによって形成され、水上側から水下側へ向く逆Ｌ字状の起立片からなる構成である。
図１２に示す実施例では、支持部材１Ｈの隆起部１２Ｈが切り起こしによって形成されたものであるが、側方へ向く逆Ｌ字状の起立片からなる構成である。
図１３に示す実施例では、支持部材１Ｉの隆起部１２Ｉが前記実施例の隆起部１２Ａと同様であるが、上辺がやや短く、切り起こしによって形成され、左右一対の逆Ｌ字状の起立片からなる構成である。
これら各図（ｃ）に示す横葺き外装構造は、何れも外装材２Ｃ及び保持部材３Ｄを用いた例を示すが、例えば前記図３〜図５に示したようにどのような外装材２や保持部材３を用いてもよい。尚、３４は保持部材３Ｄを支持部材１Ｇ〜１Ｉの上面部１１に固定するためのビスを示している。
【産業上の利用可能性】
【００４７】
各種の横葺き外装構造に適用することができる。
【図面の簡単な説明】
【００４８】
【図１】本発明の支持部材の一実施例を示す斜視図である。
【図２】図１の支持部材を用いた横葺き外装構造の一実施例を示す要部の拡大断面図である。
【図３】（ａ）本発明の支持部材の他の一実施例を示す斜視図、（ｂ）その支持部材を用いた横葺き外装構造の一実施例を示す要部の断面図である。
【図４】（ａ）図３とほぼ同様の横葺き外装構造において、負圧がかからない状態を示す要部の断面図、（ｂ）負圧がかかった状態を示す要部の断面図、（ｃ）それに用いた支持部材の正面図、（ｄ）その平面図である。
【図５】本発明の横葺き外装構造の他の一実施例である。
【図６】（ａ）図５とほぼ同様の横葺き外装構造において、負圧がかからない状態を示す要部の断面図、（ｂ）負圧がかかった状態を示す要部の断面図である。
【図７】本発明の支持部材の他の一実施例を示す斜視図である。
【図８】本発明の支持部材の他の一実施例を示す斜視図である。
【図９】本発明の支持部材の他の一実施例を示す斜視図である。
【図１０】本発明の支持部材の他の一実施例を示す斜視図である。
【図１１】（ａ）本発明の支持部材の他の一実施例を示す側面図、（ｂ）正面図、（ｃ）この支持部材を用いた横葺き外装構造の一実施例を示す断面図である。
【図１２】（ａ）本発明の支持部材の他の一実施例を示す側面図、（ｂ）正面図、（ｃ）この支持部材を用いた横葺き外装構造の一実施例を示す断面図である。
【図１３】（ａ）本発明の支持部材の他の一実施例を示す側面図、（ｂ）正面図、（ｃ）この支持部材を用いた横葺き外装構造の一実施例を示す断面図である。
【符号の説明】
【００４９】
１，１Ａ〜１Ｊ  （外装材用）支持部材
１２Ａ〜１２Ｊ  隆起部
２，２Ａ〜２Ｄ  （横葺き）外装材
２１  上面部
２２  水下側成形部
２３  水上側成形部
３，３Ａ〜３Ｄ  保持部材
３１  保持部
【図１】
2006266069.tif 000003
【図２】
2006266069.tif 000004
【図３】
2006266069.tif 000005
【図４】
2006266069.tif 000006
【図５】
2006266069.tif 000007
【図６】
2006266069.tif 000008
【図７】
2006266069.tif 000009
【図８】
2006266069.tif 000010
【図９】
2006266069.tif 000011
【図１０】
2006266069.tif 000012
【図１１】
2006266069.tif 000013
【図１２】
2006266069.tif 000014
【図１３】
2006266069.tif 000015